【手続補正書】
【提出日】平成20年3月12日(2008.3.12)
【手続補正１】
【補正対象書類名】明細書
【補正対象項目名】特許請求の範囲
【補正方法】変更
【補正の内容】
【特許請求の範囲】
【請求項１】  車両に搭載される車載端末と、この車載端末に通信回線網を介して通信可能に接続されるサーバ装置と、商品を販売する店舗に配置され、前記サーバ装置に通信回線網を介して通信可能に接続される店舗端末とを備える商品情報検索システムであって、
前記車載端末は、
ユーザが商品の検索条件を入力するための入力手段と、
前記入力手段によって入力された商品検索情報を、サーバ装置に送信するとともに、サーバ装置から送信された商品を販売する店舗の情報であって、所在地を示す所在地情報を有する店舗情報を含む検索結果情報を受信する車載端末側通信手段と、
前記車載端末側通信手段によって受信した店舗情報に含まれる所在地情報に基づいて、店舗の所在地を、ユーザに通知する通知手段とを有し、
前記通知手段が通知した店舗までの道案内を行うナビゲーション手段と、
前記サーバ装置は、
店舗情報を含む複数の商品情報が、予めストアされたデータベースと、
前記データベースから、検索条件を満足する商品情報を検索して抽出し、店舗情報を含む検索結果情報を作成する検索手段と、
前記車載端末から送信された検索条件を受信するとともに、検索手段が作成した検索結果情報を車載端末に送信するサーバ側通信手段とを有し、
前記通知手段によって通知された検索結果情報に基づいて、ユーザが入力手段によって商品の予約情報を入力すると、前記車載端末側通信手段は予約情報をサーバ装置に送信し、
サーバ側通信手段が予約情報を受信すると、サーバ装置は店舗端末に予約情報を送信して商品の予約を行うことを特徴とする商品情報検索システム。
【請求項２】  前記ナビゲーション手段による道案内の最中に、前記通知手段は、予約した商品の説明を行うことを特徴とする請求項１記載の商品情報検索システム。
【請求項３】  前記ナビゲーション手段による道案内の最中に、前記通知手段は商品を予約した店舗の説明を行うことを特徴とする請求項１または２記載の商品情報検索システム。
【請求項４】  前記店舗情報は、店舗の駐車場情報を有し、
前記通知手段は、前記駐車場情報に基づいて、駐車スペースが確保される店舗の店舗情報のみを通知することを特徴とする請求項１〜３のいずれかに記載の商品情報検索システム。
【請求項５】  前記店舗情報は、店舗が営業中であるか否かを示す営業状態情報を有し、
前記通知手段は、前記営業状態情報に基づいて、営業中の店舗の店舗情報のみを通知することを特徴とする請求項１〜４のいずれかに記載の商品情報検索システム。
【請求項６】  前記店舗情報は、抽出した商品の在庫の有無を示す在庫情報を有し、
前記通知手段は、前記在庫情報に基づいて、在庫のある店舗の店舗情報のみを通知することを特徴とする請求項１〜５のいずれかに記載の商品情報検索システム。
【請求項７】  前記車載端末を備えた車両が商品を予約した店舗に近接すると、前記サーバ装置は、前記店舗端末に予約商品の準備を指示する商品準備情報を送信することを特徴とする請求項１〜６のいずれかに記載の商品情報検索システム。
【請求項８】  サーバ装置および前記サーバ装置に通信回線網を介して通信可能に接続される店舗端末とともに、商品情報検索システムを構成し、
商品を販売する店舗の情報であって、所在地を示す所在地情報を有する店舗情報を有する複数の商品情報が予めストアされたデータベースと、このデータベースから商品情報を満足する商品情報を検索して抽出し、店舗情報を含む検索結果情報を作成する検索手段と、検索結果情報を車載端末に送信するサーバ側通信手段とを有する前記サーバ装置に、通信回線網を介して通信可能に接続される車載端末であって、
ユーザが商品の検索条件を入力するための入力手段と、
前記入力手段によって入力された商品検索情報をサーバ装置に送信するとともに、サーバ装置から送信された検索結果情報を受信する車載端末側通信手段と、
前記車載端末側通信手段によって受信した店舗情報に含まれる所在地情報に基づいて、店舗の所在地を、ユーザに通知する通知手段と、
前記通知手段が通知した店舗までの道案内を行うナビゲーション手段を有することを特徴とする車載端末。
【手続補正２】
【補正対象書類名】明細書
【補正対象項目名】０００４
【補正方法】変更
【補正の内容】
【０００４】
【課題を解決するための手段】
本発明は、車両に搭載される車載端末と、この車載端末に通信回線網を介して通信可能に接続されるサーバ装置と、商品を販売する店舗に配置され、前記サーバ装置に通信回線網を介して通信可能に接続される店舗端末とを備える商品情報検索システムであって、
前記車載端末は、
ユーザが商品の検索条件を入力するための入力手段と、
前記入力手段によって入力された商品検索情報を、サーバ装置に送信するとともに、サーバ装置から送信された商品を販売する店舗の情報であって、所在地を示す所在地情報を有する店舗情報を含む検索結果情報を受信する車載端末側通信手段と、
前記車載端末側通信手段によって受信した店舗情報に含まれる所在地情報に基づいて、店舗の所在地を、ユーザに通知する通知手段とを有し、
前記通知手段が通知した店舗までの道案内を行うナビゲーション手段と、
前記サーバ装置は、
店舗情報を含む複数の商品情報が、予めストアされたデータベースと、
前記データベースから、検索条件を満足する商品情報を検索して抽出し、店舗情報を含む検索結果情報を作成する検索手段と、
前記車載端末から送信された検索条件を受信するとともに、検索手段が作成した検索結果情報を車載端末に送信するサーバ側通信手段とを有し、
前記通知手段によって通知された検索結果情報に基づいて、ユーザが入力手段によって商品の予約情報を入力すると、前記車載端末側通信手段は予約情報をサーバ装置に送信し、
サーバ側通信手段が予約情報を受信すると、サーバ装置は店舗端末に予約情報を送信して商品の予約を行うことを特徴とする商品情報検索システムである。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
また、検索結果情報に基づいて目的の商品を決定すると、ユーザは入力手段を使用して、希望する商品の予約情報を入力する。すると、車載側端末通信手段によって予約情報がサーバ装置に送信される。サーバ装置は店舗端末に予約情報を送信する。このようにして商品の予約が行われる。従って、ユーザは店舗まで車両を運転して、予約した商品を受け取りに行くことができるとともに、確実に購入することができる。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
また、商品情報には、商品を販売する店舗の情報が含まれているので、ユーザは目的の商品を販売する店舗の所在地などの情報を入手することができる。これによって、ユーザの乗車する車両の現在位置から店舗までの距離や、道順などの情報を得ることができる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
また、店舗情報は店舗の所在地情報を有し、この所在地情報に基づいて、車載端末のナビゲーション手段がこの店舗までの道順を案内する。従って、ユーザは確実に店舗に到着することができる。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００３７
【補正方法】削除
【補正の内容】
【手続補正２３】
【補正対象書類名】明細書
【補正対象項目名】００３８
【補正方法】削除
【補正の内容】
【手続補正２４】
【補正対象書類名】明細書
【補正対象項目名】００３９
【補正方法】削除
【補正の内容】
【手続補正２５】
【補正対象書類名】明細書
【補正対象項目名】００４０
【補正方法】削除
【補正の内容】
【手続補正２６】
【補正対象書類名】明細書
【補正対象項目名】００４１
【補正方法】削除
【補正の内容】
【手続補正２７】
【補正対象書類名】明細書
【補正対象項目名】００４２
【補正方法】削除
【補正の内容】
【手続補正２８】
【補正対象書類名】明細書
【補正対象項目名】００４３
【補正方法】削除
【補正の内容】
【手続補正２９】
【補正対象書類名】明細書
【補正対象項目名】００４４
【補正方法】変更
【補正の内容】
【００４４】
また本発明は、サーバ装置および前記サーバ装置に通信回線網を介して通信可能に接続される店舗端末とともに、商品情報検索システムを構成し、
商品を販売する店舗の情報であって、所在地を示す所在地情報を有する店舗情報を有する複数の商品情報が予めストアされたデータベースと、このデータベースから商品情報を満足する商品情報を検索して抽出し、店舗情報を含む検索結果情報を作成する検索手段と、検索結果情報を車載端末に送信するサーバ側通信手段とを有する前記サーバ装置に、通信回線網を介して通信可能に接続される車載端末であって、
ユーザが商品の検索条件を入力するための入力手段と、
前記入力手段によって入力された商品検索情報をサーバ装置に送信するとともに、サーバ装置から送信された検索結果情報を受信する車載端末側通信手段と、
前記車載端末側通信手段によって受信した店舗情報に含まれる所在地情報に基づいて、店舗の所在地を、ユーザに通知する通知手段と、
前記通知手段が通知した店舗までの道案内を行うナビゲーション手段を有することを特徴とする車載端末である。
【手続補正３０】
【補正対象書類名】明細書
【補正対象項目名】００４５
【補正方法】変更
【補正の内容】
【００４５】
本発明に従えば、ユーザが車両に乗車しながら、車載端末の入力手段によって目的の商品の検索条件を入力すると、車載端末側通信手段によって検索条件がサーバ装置に送信される。サーバ側通信手段が検索条件を受信すると、検索手段はデータベースから、検索条件を満足する商品情報を抽出して検索結果情報を作成する。この検索結果情報は、サーバ側通信手段によって車載端末に送信される。車載端末側通信手段が検索結果情報を受信すると、通知手段は受信した検索結果情報をユーザに通知する。このようにして、ユーザは車両に乗車しながら目的の商品の情報を取得することができる。たとえば、ユーザが希望する商品を販売している店舗の所在地情報を得ることによって、ユーザはこの店舗まで車両を運転し、商品を購入することができる。従って、ユーザは商品が配達されるのを待つことなく、目的の商品を即座に入手することができる。
また、商品情報には、商品を販売する店舗の情報が含まれているので、ユーザは目的の商品を販売する店舗の所在地などの情報を入手することができる。これによって、ユーザの乗車する車両の現在位置から店舗までの距離や、道順などの情報を得ることができる。
また、店舗情報は店舗の所在地情報を有し、この所在地情報に基づいて、車載端末のナビゲーション手段がこの店舗までの道順を案内する。従って、ユーザは確実に店舗に到着することができる。
【手続補正３１】
【補正対象書類名】明細書
【補正対象項目名】００４６
【補正方法】削除
【補正の内容】
【手続補正３２】
【補正対象書類名】明細書
【補正対象項目名】００４７
【補正方法】削除
【補正の内容】
【手続補正３３】
【補正対象書類名】明細書
【補正対象項目名】００８１
【補正方法】変更
【補正の内容】
【００８１】
また、商品予約ができるので、ユーザは希望商品を確実に購入できる。
【手続補正３４】
【補正対象書類名】明細書
【補正対象項目名】００８２
【補正方法】削除
【補正の内容】
【手続補正３５】
【補正対象書類名】明細書
【補正対象項目名】００８３
【補正方法】削除
【補正の内容】
【手続補正３６】
【補正対象書類名】明細書
【補正対象項目名】００８４
【補正方法】変更
【補正の内容】
【００８４】
また、商品情報には、商品を販売する店舗の情報が含まれているので、ユーザの乗車する車両の現在位置から店舗までの距離や、道順などの情報を得ることができる。
【手続補正３７】
【補正対象書類名】明細書
【補正対象項目名】００８５
【補正方法】変更
【補正の内容】
【００８５】
また、ナビゲーション手段がこの店舗までの道順を案内するので、ユーザは確実に店舗に到着することができる。
【手続補正３８】
【補正対象書類名】明細書
【補正対象項目名】００８６
【補正方法】変更
【補正の内容】
【００８６】
請求項２記載の本発明によれば、車両に乗車しての店舗までの移動中に、ユーザが予約した商品の詳細情報を得ることができる。
【手続補正３９】
【補正対象書類名】明細書
【補正対象項目名】００８７
【補正方法】変更
【補正の内容】
【００８７】
請求項３記載の本発明によれば、車両に乗車しての店舗までの移動中に、ユーザが予約した商品の販売店舗の詳細情報を得ることができる。
【手続補正４０】
【補正対象書類名】明細書
【補正対象項目名】００８８
【補正方法】削除
【補正の内容】
【手続補正４１】
【補正対象書類名】明細書
【補正対象項目名】００８９
【補正方法】削除
【補正の内容】
【手続補正４２】
【補正対象書類名】明細書
【補正対象項目名】００９０
【補正方法】削除
【補正の内容】
【手続補正４３】
【補正対象書類名】明細書
【補正対象項目名】００９１
【補正方法】削除
【補正の内容】
【手続補正４４】
【補正対象書類名】明細書
【補正対象項目名】００９２
【補正方法】削除
【補正の内容】
【手続補正４５】
【補正対象書類名】明細書
【補正対象項目名】００９３
【補正方法】変更
【補正の内容】
【００９３】
請求項４記載の本発明によれば、駐車スペースが確保されている店舗の店舗情報のみが通知され、これに基づいて目的の商品を決定するので、店舗に到着して車両の駐車スペースが無いなどと言った不具合が防止される。
【手続補正４６】
【補正対象書類名】明細書
【補正対象項目名】００９４
【補正方法】変更
【補正の内容】
【００９４】
請求項５記載の本発明によれば、営業中の店舗の店舗情報のみが通知され、これに基づいて目的の商品を決定するので、店舗に到着して店舗が閉店しているなどと言った不具合が防止される。
【手続補正４７】
【補正対象書類名】明細書
【補正対象項目名】００９５
【補正方法】変更
【補正の内容】
【００９５】
請求項６記載の本発明によれば、商品の在庫の存在する店舗の店舗情報のみが通知されるので、店舗に到着して商品の在庫が無いなどと言った不具合が防止される。
【手続補正４８】
【補正対象書類名】明細書
【補正対象項目名】００９６
【補正方法】変更
【補正の内容】
【００９６】
請求項７記載の本発明によれば、車両が商品を予約した店舗に近接すると、店舗端末に予約商品の準備の指示が行われるので、ユーザは店舗に到着すると、すぐに予約した商品を受け取ることができる。
【手続補正４９】
【補正対象書類名】明細書
【補正対象項目名】００９７
【補正方法】削除
【補正の内容】
【手続補正５０】
【補正対象書類名】明細書
【補正対象項目名】００９８
【補正方法】削除
【補正の内容】
【手続補正５１】
【補正対象書類名】明細書
【補正対象項目名】００９９
【補正方法】削除
【補正の内容】
【手続補正５２】
【補正対象書類名】明細書
【補正対象項目名】０１００
【補正方法】変更
【補正の内容】
【０１００】
請求項８記載の本発明によれば、ユーザは車両に乗車しながら目的の商品の情報を取得することができる。
また、ナビゲーション手段がこの店舗までの道順を案内するので、ユーザは確実に店舗に到着することができる。
【手続補正５３】
【補正対象書類名】明細書
【補正対象項目名】０１０１
【補正方法】削除
【補正の内容】